(57)【特許請求の範囲】
【請求項１】
二つの部材（第１と第２の部材）を開放可能な状態で結合するための固定装置であって、
第１の部材に導入されて固定される挿入芯（１）からなり、
挿入芯中に設けられた軸方向に移動可能なスライド（７）は、第２の部材（１５）の開口部に少なくとも部分的に導入されて、開口部を部分的に閉じている第２の部材上に固定圧力を付与することができる固定フック（１３、１４又は１３３）を備えた、少なくとも一つの回転可能な固定部材（１１、１２又は１１１）を支持し、
挿入芯（１）は、スライド（７又は１０７）に係合して第１のスライド表面機構を介して、スライドを軸方向に移動するための偏心体からなる回転手段を備えており、
挿入芯（１）は、軸方向の移動中に、横断する方向に対して固定部材を移動させるための第２のスライド表面機構を備えており、
固定部材（１１、１２又は１１１）は、横広方向に、一端が固定フック（３又は１３３）となる細長い部材（２７、２８）を有しており、
スライド（７又は１０７）及び固定部材（１１、１２又は１１１）は、固定部材が細長い部材（２７、２８）の横広方向に平行に走る軸の周りを回転可能な状態に支持されるための相補手段（１０、３４又は１２５、１２６又は１３０、１１０）を有していること
を特徴とする固定装置。
【請求項２】
請求の範囲１に記載の固定装置において、前記細長い部材（２７、２８又は１１１）のもう一方の端部には、第２のフック（３４又は１３４）が設けられており、前記固定フック（３３又は１３３）及びこの第２のフック（３４又は１３４）は、それぞれ反対方向を向いていることを特徴とする固定装置。
【請求項３】
請求の範囲２に記載の固定装置において、前記第２のフックとしての蝶番フック（３４）は、当該フックにおける屈曲部分の間で、前記固定部材の細長い部材（２７、２８）の厚さの半分より薄い間隙（エアギャップ）を有していることを特徴とする固定装置。
【請求項４】
請求の範囲１〜３のいずれか一項に記載の固定装置において、前記固定部材の細長い部材（２７、２８）は、２つの部分から構成され、これらの２つの部分は、小さな角度で以て曲げられており、蝶番フック（３４）が位置している一端側に凹側面を規定していることを特徴とする固定装置。
【請求項５】
請求の範囲３又は４に記載の固定装置において、前記蝶番フック（３４）の端面（７０）は、前記蝶番フック（３４）の対称平面（７１）に対して９０°以外の角度を形成し、好ましくは突き出た外端（７２）を有していることを特徴とする固定装置。
【請求項６】
請求の範囲１〜５のいずれか一項に記載の固定装置において、
前記固定部材は、前記細長い部分（２７、２８）と固定フック（３３）との間に、第２のスライド機構の第１部分を形成する傾斜部（３２）を有しており、
第２のスライド機構の第２部分は、斜面（４３、４４）を有し、斜面の端部（４１、４２）がそれぞれ挿入芯の２つの狭い側の外壁の一つに固定された、スライド（７）の移動方向に対して直交する交差部材（４０）を設けることによって形成されていることを特徴とする固定装置。
【請求項７】
請求の範囲６に記載の固定装置において、前記挿入芯（１）は断面が少なくとも概略Ｕ形状のベース部（２）と、概略平板状のカバー部（２'）とを有し、前記ベース部の側壁は各々切れ目を有しており、これらの切れ目は、前記カバー部のおおい状延長部分と係合することにより、これらの間に斜めの表面を有する交差部材を固定することを特徴とする固定装置。
【請求項８】
請求の範囲１〜７のいずれか一項に記載の固定装置において、前記スライド（７）は、前記中央部と前記結合部との間に階段状に屈曲している連結部（７３）を有していることを特徴とする固定装置。
【請求項９】
請求の範囲１〜８のいずれか一項に記載の固定装置において、前記挿入芯（２又は１０２）は、少なくとも部分的には、二つの広い外壁と二つの小さな外壁とを有しており、これら二つの広い外壁を第１の外壁および第２の外壁としたときに、第１の外壁が、前記スライドと係合するスライド表面機構を介して、スライドを軸方向に移動させるための回転手段を有することを特徴とする固定装置。
【請求項１０】
請求の範囲１〜９のいずれか一項に記載の固定装置において、前記挿入芯（２又は１０２）は、断面がＵ形状のハウジング及び平面状のカバー部（１０２'）を有していることを特徴とする固定装置。
【発明の詳細な説明】
本発明は、請求の範囲第１項の前提部分（プリアンブル）に記載されたように、２つの部材（profile pieces）を、解除可能な状態で結合するための固定装置に関する。
このタイプの固定装置はドイツ国公開公報DE−A−42 25 926号によって知られている。この固定装置の場合、二つの固定部材が、スライド表面機構によって、ボルトの軸方向の動き中に支持部材を回転させるために、軸方向に移動させられる。この支持部材の自由端は、回転中に望ましい固定圧力を発揮するために、各々がフックとして設計されている。しかしながら、この固定装置において、二つの固定フックには異なった負荷や圧力がかかり、その結果、傾くために組み立てが困難であるという問題点があり、一方、固定部材が遊びを有しており、消耗の現因となるという問題点がある。その結果、固定装置において、大きなサイズや厚さが必要となっている。
また、このタイプのさらなる固定装置は、ＥＰＣ特許公報EP-B1-0 506 607によって知られている。この固定装置の場合、複数の支持部材を回転可能な状態に取り付けるための動的な支持手段（carrying means）をボルトが有している。すなわち、このボルトが軸方向に沿って移動する間に、支持部材が回転（ピボット回転）可能となるように、支持部材及び挿入芯の内壁には、スライド表面機構が設けられている。そして、この支持部材の端部領域には、回転操作中に望ましい固定圧力を与えることができるように、それぞれフック構造が設けられている。
また、フランス国特許2,152,941号明細書には、ハウジング内に固定されたピンの周りを、回転可能な状態に取り付けられた支持部材を備えた第１の装置が開示されている。この装置は、ボルトも、スライド表面を介してボルトに係合するネジも有していない。そのかわりに、支持部材は、ハウジングの幅に対応する幅を有する偏心輪（eccentric）を設けることによって回転可能としている。すなわち、ハウジング内には、軸方向に移動するに従って支持部材を回転させるいかなるスライド表面（機構）も有していない。したがって、この装置の場合は、スライド表面を、偏心輪内部に、又は支持部材の下部、若しくは支持部材を移動させるための圧力印加部材の下部に設けている。
また、上記したフランス国特許明細書に記載された第２の装置の場合、ボルトがハウジング内を横断して取り付けられており、支持部材を回転させるためのスライド表面を形成している。
最後に、フックとしての機能を果たす、屈曲端を有する平坦なラッチ構造は、ＥＰＣ特許公報EP-B1-0 238 848によって知られている。
この従来技術を考慮し、本発明の目的は、導入部に記載されている固定装置を、本質的に左右対象な荷重に耐え、平面的な形状を成すことができ、且つ良好な固定性能を発揮するべく改良することにある。
よって、本発明の目的は、特許請求の範囲１に記載された固定装置、すなわち、２つの部材（第１と第２の部材）を開放可能な状態で結合するための固定装置であって、以下のような特徴（Ａ〜Ｆ）を有する固定装置により達成される。
Ａ:第１の部材に導入されて固定される挿入芯（１）からなる固定装置である。
Ｂ：挿入芯（１）中に設けられた、軸方向に移動可能なスライド（７）は、第２の部材（１５）の開口部に少なくとも部分的に導入されて、開口部を部分的に閉じている第２の部材上に固定圧力を付与することができる固定フック（１３、１４又は１３３）を備えた、少なくとも一つの回転可能な固定部材（１１、１２又は１１１）を支持している。
Ｃ：挿入芯（１）は、スライド（７又は１０７）に係合する第１のスライド表面機構を介して、スライドを軸方向に移動するための回転手段を備えている。
Ｄ：挿入芯（１）は、軸方向の移動中に、横断する方向に対して固定部材を移動させるために、第２のスライド表面機構を備えている。
Ｅ：固定部材（１１、１２又は１１１）は、横広方向に、一端が固定フック（３又は１３３）となる細長い部材（２７、２８）を有している。
Ｆ：スライド（７又は１０７）及び固定部材（１１、１２又は１１１）は、細長い部材（２７、２８）の横広方向に平行に走る軸の周りを、回転可能な状態で固定部材を支持するための相補手段（１０、３４又は１２５、１２６又は１３０、１１０）を有している。
また、本発明のさらに有利な実施形態は、従属請求の範囲中に記載されている。
すなわち、本発明の固定装置を構成するにあたり、細長い部材（２７、２８又は１１１）の他端に、第２のフック（３４又は１３４）が設けられ、固定フック（３３又は１３３）及びこの第２のフック（３４又は１３４）はそれぞれ反対方向に向いていることが好ましい。
また、本発明の固定装置を構成するにあたり、細長い部材（２７、２８）の他端に、蝶番フック（３４）が設けられ、スライド（７）には、固定部材の回転蝶番を形成するために、相補手段として、蝶番フック（３４）が嵌合（適合）することのできる少なくとも一の凹部（１０）を有する平坦末端部分を有していることが好ましい。
また、本発明の固定装置を構成するにあたり、蝶番フック（３４）を構成する２つの屈曲部分の間に、蝶番フック（３４）は、固定部材の細長い部材（２７、２８）の厚さの半分より薄い間隙（エアギャップ）を有していることが好ましい。
また、本発明の固定装置を構成するにあたり、固定部材における細長い部材は、２つの部分（２７、２８）から構成されており、この２つの部分は、小さな角度で曲がっており、蝶番フック（３４）が位置している一端側に凹側面を規定していることが好ましい。
また、本発明の固定装置を構成するにあたり、蝶番フック（３４）の端面（７０）は、蝶番フック（３４）の対称平面（７１）に対して９０°以外の角度を以て形成してあり、好ましくは突き出た外端（７２）を有していることが好ましい。
また、本発明の固定装置を構成するにあたり、細長い部分（２７、２８）と固定フック（３３）との間で、固定部材は、第２のスライド機構の第１部分を形成する傾斜部（３２）を有していることが好ましい。
また、本発明の固定装置を構成するにあたり、第２のスライド機構の第２部分は、斜めの面（４３、４４）が設けられ、端部（４１、４２）がそれぞれ挿入芯の２つの狭い側の外壁の一つに固定され、スライド（７）の移動方向に直交する交差部材（４０）によって形成されていることが好ましい。
また、本発明の固定装置を構成するにあたり、挿入芯（１）は断面が少なくともＵ形状のベース部（２）及び平板状のカバー部（２'）を有しており、ベース部の側壁には各々切れ目を有しており、これらの切れ目は、カバー部のおおい状延長部分と相互作用することにより、これらの間に斜めの表面を有する交差部材を固定していることが好ましい。
また、本発明の固定装置を構成するにあたり、中央部と前記結合部との間に、スライド（７）は、階段状に屈曲している連結部（７３）を有していることが好ましい。
また、本発明の固定装置を構成するにあたり、スライド（１０７）は、柄状の延長部分（１２５又は１２６）を有する角度つけされた細片（１１８又は１１９）を少なくとも一つ有し、少なくとも一つの固定部材を回転可能に固定するための手段を有していることが好ましい。
また、本発明の固定装置を構成するにあたり、固定部材は、２つの上向きの縁細片（１１８又は１１９）と下向きの柄状延長部分（１２３又は１２４）とを有しており、スライドの端部で概略Ｈ形状の外形を有し、これら延長部分（１２３又は１２４）は少なくとも一つの固定部材を回転可能に支持するために設けられている軸を取り付けるための穴（１２５又は１２５）を有していることが好ましい。
また、本発明の固定装置を構成するにあたり、固定部材は、細長い掛け金であって、
少なくとも一つの横に向かって細長く上向きの縁部材（１２７、１２８）と、
一つの湾曲部を有し下向きの縁部材（１３１）と、
一つのフック（１３３）の形状に設計された第１の端領域と、
一つの曲がった第２の端領域（１３４）とを有することが好ましい。
また、本発明の固定装置を構成するにあたり、掛け金は、二つの平行な細長い縁部材（１２７、１２８）を有し、この縁部材は側で上向きであり、それぞれが掛け金をスライドに回転可能に固定するために設けられた軸（１１０）を取り付ける目的のための開口部（１２９、１３０）を有することが好ましい。
また、本発明の固定装置を構成するにあたり、掛け金（１１１）の第１の端領域は、上向きに約１８０°曲げられており、第２の端領域は下向きに曲げられていることが好ましい。
また、本発明の固定装置を構成するにあたり、挿入芯（２又は１０２）は、少なくとも部分的には、二つの広い外壁と二つの小さな外壁を有しており、これら二つの広い外壁のうち第１のものは、スライドとかみ合うスライド表面機構を介して、スライドを軸方向に移動させるための回転手段を有することが好ましい。
また、本発明の固定装置を構成するにあたり、挿入芯（２又は１０２）は、断面がＵ形状のハウジング及び平面状のカバー部（１０２'）を有していることが好ましい。
また、本発明の固定装置を構成するにあたり、ハウジング及びカバー部あるいはいずれか一方に、開口部（１５０、１５７）を有しており、この開口部は湾曲部（１３２）が設けられた掛け金（１１１）の縁部材（１３１）を部分的に受けるために設けられていることが好ましい。
また、本発明の固定装置を構成するにあたり、ハウジング及びカバー部あるいはいずれか一方に、開口部（１５１、１５８）を有しており、この開口部は前記屈曲した第２の端領域（１３４）を部分的に受けるために設けられていることが好ましい。
また、本発明の固定装置を構成するにあたり、スライドを軸方向に移動させるスライド表面機構は、偏心ローラー、又は円錐形の先端部が円錐状の凹部と偏心的に相互作用するネジのいずれかを有することが好ましい。
本発明は、以下の図面に言及した実施例に基づいて、以下に示すように詳細に説明される。
図１は、本発明の挿入芯を備えた固定装置における、偏心軸を貫いた状態の断面図である（閉状態）。
図２は、本発明の固定装置及びそのスライドの部分平面図である（閉状態）。
図３は、本発明の挿入芯を備えた固定装置における、偏心軸を貫いた状態の断面図である（開状態）。
図４は、本発明の固定装置及びそのスライドの部分平面図である（開状態）。
図５は、図３のＶ-Ｖ線に沿って切断した場合の断面図である。
図６は、図４のIV-IV線に沿った沿って切断した場合の断面図である。
図７及び８は、スライド構造を示す図である。
図９は、本発明における掛け金（latch）の側面図である。
図１０は、本発明における掛け金の平面図である。
図１１〜１３は、本発明における交差部材（crosspiece）の図を示す。
図１４〜１６は、本発明における偏心輪（eccentric）の図を示す。
図１７は、本発明における挿入芯を備えた固定装置の、偏心軸を貫いた状態の断面図である（閉状態）。
図１８は、本発明の固定装置及びそのスライドの部分平面図である。
図１９は、長軸を横切る平面における、本固定装置における偏心部分の断面図である。
図２０〜２２は、それぞれスライド構造を示す図である。
図２３は、本発明における掛け金の側面図である。
図２４は、本発明における掛け金の平面図である。
図２５は、本発明における掛け金の前面図である。
図２６は、本発明のハウジング下部の平面図である。
図２７は、図２６のＡ-Ａ線に沿って切断した場合の断面図である。
図２８は、本発明におけるハウジングの前面図である。
図２９及び３０は、それぞれ本発明におけるハウジングのカバー部を図示したものである。
図１は挿入芯１を示す。この挿入芯１は、第１の部材（図示せず）中に圧入されて、そこに固定されており、例えば金属シートから構成されている。この挿入芯１は、ベース部２及びカバー部２’を有している。この挿入芯１におけるカバー部２’には、偏心輪５のヘッド４を受けるための横穴３が設けられている。また、ベース部２とカバー部２との間には、ダイカスト工程により又は好ましくは打ち抜き部材として製造可能な、好ましくは非弾性及び／又は硬質のアンカー（anchor）又はスライド７を受けるための細長い内部空間６が存在している。
なお、固定装置を用いて連結する部材は、例えば、スイス公開公報CH−A−576591号、欧州特許公報EP−B1−0 506 607号又は欧州特許公報EP−B1−0 123 683号に記載された部材と同様に、構成したり、設計することができる。
また、アンカー（スライド）７は、内部空間６中に移動可能に配置されている。図１のみに示されているが、らせん状のバネ８が、これは偏心輪とベース部２との間の空間５４（図１４）中に配置されている。
また、図２は、スライド７が幅広で平坦なデザインを有し、２つの長方形の開口部１０、１０’のある上部結合部９を有する様子を示している。この上部結合部９は、いずれも固定部材と称される支持部材又は掛け金１１、１２を回転可能に取り付ける働きをしている。この支持部材は、固定フックとして働く端部１３、１４を有するとともに、開口部を部分的に閉じている部材１５のその部位に固定圧力を与えるために部材１５の開口部中に導入可能となっている。そして、これらの掛け金１１、１２が非交互に（図２）又は交互に（図１）、端部１３、１４で一方向に又は他の方向に配置されることが可能となっている。固定装置の偏心輪５は、比較的大きく偏心している偏心ヘッド４、この偏心ヘッド４に対して偏心して配置された偏心ローラー１６、及びこの偏心ヘッドと同軸の軸１７を有している。
また、図３及び４は、開状態における固定装置を示している。図５及び６から理解されるように、この開状態では、偏心ヘッド４がカバー部２’の開口部３からいくぶん突出している。
また、図７及び８によれば、スライド７は、基本的には、二つの短く外に伸びた平行縁細片１８、１９を有する中心部材と、図８の右方向及び下方向に伸びた非対称スロットの形状をした開口部２０を有する平板状部材とを備えている。
また、図９及び１０によれば、掛け金１１、１２は、基本的に細長い板状部材を有する。この掛け金は中央部で約５°の微小角度（α）で曲がっており、その結果、ほぼまっすぐな下部掛け金部分２７、及び左右方向に幅広い縁部分３０、３１のある上部端２９を有し、ほぼまっすぐな上部掛け金部分２８がこれらの間に設けられている。なお、角度αについては、例えば１°≦α≦１０°の範囲内の値であることが好ましい。
この縁部分３０、３１のある上端部２９は、屈曲部３２を有している。この屈曲部３２は、好ましくは３０°〜５０°の第１の角度ｂで右方向に曲がり（図９）、ほぼ同じ第２の角度βで左方向に曲がっており、掛け金部分２７の広い側にほぼ平行の平面につながっている。そして、上部掛け金部分２８に連なる上部端２９の端領域は、第１のフック又は固定フック３３を形成するために、図９においては、ほぼ１８０°左方向に曲がっている。対照的に、下部掛け金部材２７の端領域は、第２のフック３４又は蝶番フックを形成するために、図９においては１８０°右に曲がっている。
なお、掛け金の蝶番フック３４は、少なくとも小さな角度で掛け金が回転可能となるように、スライド７の好ましくは長方形の開口部１０の中で、緩やかにしかし遊びなく精密に調節される。このスライド７は、ベース部２の二つの細長い横壁部３５、３６（図２）の間で移動可能に配置されている。この目的のために、壁部３５、３６には、それぞれ細長い開口部３７及び３８を有している。
この場合、スライド７の延長された縁部１８、１９に対して、それぞれの壁部末端はスライド表面を形成している。したがって、開口部３７、３８は、移動経路を規定し及び/又は範囲を定める量だけ、スライド７の延長された縁部１８、１９より長くなっている。
また、図１１によれば、交差部材４０は細長い形状（デザイン）を有し、さらに、両末端には、短い延長部分４１及び４２をそれぞれ有している。この延長部分４１、４２は固定装置の狭い側壁の開口部のところで、この交差部材４０を固定する働きをする。
なお、交差部材４０における狭い細長い縁には、図１１に示すように２つの延長部分４３、４４を有している。この延長部分４３、４４は、それぞれが交差部材４０の外側延長端長さＢ（Ｂは好ましくは固定装置の内部空間の幅に対応している）の半分より短くなっている。図１１においては、一つの延長部分４３は下向きの角度で以て途中で曲がっており、他の延長部分４４は上向きの角度で以て途中で曲がっている。いずれの場合も、約４５°〜５５°の範囲で正確に角度が規定されている。なお、延長部分４３及び４４は、図１１に示すように幅Ｂｓで以て遮断してある。
また、ベース部２における基部４５（図１）は、好ましくは断面がほぼＵ形状を有しているが、内部環状縁部４７を伴った丸い開口部４６を有している。基部４５の内部において、内部環状縁部４７と壁部３５、３６との間に、２つの平行な切れ目間で盛り上がり、スライドの移動方向に対して横断する方向に伸びた突起部４８が配置されている。開口部４６に近接した壁３５又は３６の領域中で、基部４５はさらに一つのこぶ状に盛り上がった内部突起部４９又は５０をそれぞれ有している。
また、図１４〜１６によれば、全高さＨの偏心輪５は、直径Ｄｋ、高さＨｋの上記した偏心ヘッド４と、直径Ｄｗの偏心ローラー１６と、及び直径Ｄａの偏心軸１７とをそれぞれ有している。
この偏心ローラー１６は、偏心ヘッドと一体となって偏心設計されており、図１５のｅにより偏心度が指定されている。この偏心ローラーは、ほぼ月型の壁５１を２つの月形成ポイント（moon points)５２、５３とともに有しており、この月形状の壁５１は偏心ヘッド４と同心の環状穴５４によって内側上に形成されている。
また、偏心軸１７は、環状穴５４の内部空間内に同心的に形成されており、ここからＨｖの高さだけ突出している。図１５においては、この月形状の壁５１は全体として、半径Ｒｗ＝Ｄｗ/２の円と、穴５４の半径Ｒｂの円弧との間で明確に示されている。
また、偏心ヘッド４の終端には、内側終端が偏心ヘッド４の幾何学的回転軸から距離Ａｋのところに位置しているマーキング５５が設けられており、図１６のようにトルクを伝えるために終端のところで工具噛み合い表面５６を有している。
また、カバー部２'（図１〜３）は、基本的には平板状部材を有している。この平板状部材は、偏心ヘッド４用の円形穴３に加えて、４つの小さな開口部５７、５８等を有し、ベース部２の突起部５９、６０、６１及び６２（図２）と係合するように構成されている。したがって、突起部５９、６０、６１及び６２が、それぞれ対応する４つの開口部５７、５８等中に導入されて、カバー部２’が取り付けられたときには、ハウジングはこの製造段階でリベット打ちによって閉じることができる。
また、開口部５７と上部カバー部端との間の領域では、カバー部２’は各々左又は右に、延長部分６３及び６４（図５）を有している。これらの延長部分６３及び６４はそれぞれ出張った形状に曲げられ、各々交差部材４０の延長部分４１及び４２内に固定するために、ベース部２の側壁３５、３６内の対応する切り抜き部６３’、６４’（図２）と係合するように構成されている。
また、スライド７の開口部１０に対向するカバー部領域中には、２つの平行な切り込みの間で、こぶ状に盛り上がり、スライド７の移動方向に平行に伸びる内面突起部６５がある。これと同様に、スライド７の開口部１０’に対向するベース部領域中には、２つの平行な切り込みの間でこぶ状に盛り上がり、スライド７の移動方向に平行に伸びる内面突起部６５’がある。
また、ガイド開口部３７及び３８の周辺領域で、カバー部２’は、それぞれ左右に延長部分６６、６７（図６）を有している。この延長部分は、それぞれ出張った形状に曲げられ、スライド７の縁部分１８、１９（図８）をそれらの間にガイドするために、ベース部２の側壁３５、３６内の対応する切り抜き部と係合するように構成されている。
次いで、図１〜１６に示した本発明の固定装置の機能について、以下のように説明する。
まず、掛け金１１及び１２は、好ましくは同一のものである。掛け金１２の蝶番フックが下から開口部１０’に取り付けられる一方で、掛け金１１の蝶番フック３４は、上から開口部１０に取り付けられている。開状態においては（図３）、スライド７は外側に力を与えられ、掛け金１１及び１２の２つの固定フックは互いに平行に、ベース部２及びカバー部２’で形成されているハウシングから外に突出している。
そして、この状態では、偏心輪５は、少なくとも偏心ヘッド４の端面がカバー部２’の外表面に達するまで、らせん状のバネの動作に対抗して、カバー部２’の開口部３を介して、ハウジングに向けて力を与えることができる。なぜなら、この月型の壁５１はこの位置で自由な移動経路を有するからである。しかしながら、外部圧力がなければ、このバネ８は、このヘッド４が穴３から突出するように動作する。したがって、バネ８は第１の部材中で、この固定装置を固定するのに有利である。
また、偏心輪５の回転中、偏心ローラー１６はスライド７の開口部２０の縁を押している。その結果、スライド７は内側に押され、掛け金の斜面部領域３２（図９）は交差部材４０の傾斜面４３、４４に対してスライドし、その結果、掛け金は外側に回転し、固定装置は閉じられるか、又は固定される。
閉状態においては、偏心ローラー１６の月型の壁５１は突起部４８上に支持され、その結果、偏心ヘッド４はいくぶんハウジングから突き出る。そして、第１の部材の対応する開口部中に縛られた形で固定され続ける。
しかしながら、開状態においては、偏心ローラー１６の月型の壁５１は突起部４８からより離れており、その結果、偏心ヘッド４は、バネ８の動作に反して、ハウジングの内側に押され、固定装置が第１の部材から自由になる。
また、固定装置は、偏心ヘッド５を他の方向に回転することによって開く。その動作中、掛け金が内側に押され、まっすぐな位置に向かってシフトするように、内面突起部６５、６５’がそれぞれ配置されている。この掛け金を閉状態にうまく維持するために、カバー部２’及びベース部２の末端部は、角度のついた延長部分６８（図１）を有している。
また、蝶番フック３４は、好ましくは平坦状であり、蝶番フック３４を構成する２つの屈曲部分の間に、できるだけ小さな空隙（エアギャップ）６９を有している。この空隙は、この固定部材の細片状部分２７、２８の半分以下（例えば１／３）の薄さであることが好ましい。
また、スライドを軸方向に移動させるスライド表面機構は、スイス国公開公報CH−576 591号により知られた、円錐形の先端が円錐形の窪みと偏心的に相互作用し、スライドに備え付けられたボルト中で表面をきつく締めるためのネジを有する機構であってもよい。
また、種々の部品は、好ましくは厚さが０．５〜３ｍｍ、より好ましくは１．０〜２．５ｍｍの鋼シートから打ち抜きされることによって製造される。この種々の部材は硬化処理及び/又はめっきがなされていてもよい。偏心輪５は、好ましくは高張鋼からなる。また、蝶番フック３４の端面７０は、突出外側端７２の精度を高めるために、蝶番フック３４の対称表面７１に対して９０°以外の角度を有していてもよい。
また、本発明の固定装置は、例えば、蝶番フックがスライド７の対応する開口部１０中に調整されている３以上の互い違いの掛け金を、同様に有することもできる。
したがって、中央部と結合部との間で、スライド７は、好ましくは階段状に曲がっている連結部７３を有している。その結果、中央部と結合部とは、この固定部材の厚さ程度に互いに離れて位置している、ほぼ平行な２つの平面を規定している。
次に、本発明の別の固定装置における実施形態について説明する。
まず、図１７は、例えば金属シートからなる挿入芯１０２を示す。この挿入芯は、第１の部材１０１に圧入されて固定されている。挿入芯１０２のカバー部１０２’には、偏心輪１０５のヘッド１０４を受けるための横穴１０３か設けられているとともに、好ましくは非弾性及び/又は硬質のアンカー又はスライド１０７を受けるための細長い内部空間１０６が設けられている。これはダイカスト工程又は好ましくはスタンプ要素として製造することができる。
なお、固定装置で固定（結合）する部材１０１は、例えば、スイス国公開公報CH−A−576591号又は欧州特許公報EP−B1−0 506 607号又は欧州特許公報EP−B1−0 123 683号に記載された部材と同様のものとすることができる。
また、アンカー１０７は、内部空間１０６中に移動可能に取り付けられている。図１７にのみに示されているらせん状のバネ１０８又は板バネは、偏心輪１０５のベース側内穴１０８中に部分的に収納されるようになっている。
また、図１８において、スライド１０７は、幅広で平坦にデザインされており、支持部材又は掛け金１１１、１１２を回転可能に取り付けるための軸１１０を支える上部結合部分１０９を有していることを示している。なお、この支持部材それ自体は知られており、開口部を部分的に閉じる部材１１５の部位に固定圧力を与えるために、部材１１５の開口部中に導入可能な端部１１３、１１４（図１７）を有している。これは、これらの掛け金１１１、１１２が非交互に（図１８）又は交互に（図１７）一方向に又は他方向に、端部１１３、１１４で積み重ねられることを可能にする。
また、本固定装置の偏心輪１０５は、比較的高い偏心度を有する偏心ヘッド１０４（直径ｄ）、この偏心輪ヘッド１０４に対して偏心して配置された偏心ローラー１１６（直径Ｄ）及びこの偏心ヘッドと同軸で偏心輪１０５の基部内側穴１０８から突出している軸１１７を有している。ここで、ＤとｄとはＤ＞ｄの関係を満足する。
また、図２０〜２２に示すスライド１０７は、基本的には、互いに平行な２つの縁細片１１８、１１９を有する細長い平板状部材からなる。このスライド１０７の基部は平坦な２つの基部材１２１、１２２と２つの縁細片１１８、１１９との間に、好ましくは長方形の開口部１２０を有する。縁細片１１８、１１９の上端部領域は丸い柄状の延長部分１２３、１２４としてデザインされている。後者は、スライドの移動方向に対して横断するように軸１１０を取り付けられるように各々穴１２５、１２６を有している。図２０によれば、上向きの各縁細片の延長部分１２３、１２４は下に向き、その結果、スライド１０７の端部ではほぼＨ形状の外形になっている（図２２）。
また、図２３〜２５の掛け金１１１は、基本的に、上向きの２つの平行な幅広縁部材１２７、１２８を有する細長い平板状部材からなる。縁部材１２８の上部分は２つの丸い角部を有する台形の形状に延長されている一方、縁部材１２７の上部分は半円形である。この縁部材１２７、１２８は、軸１１０に掛け金を取り付けるために、それぞれ部分的に丸くなった開口部１２９、１３０を有し、この開口部はスライドの移動方向に対して直交する方向に同軸的に配置されている。
なお、縁部分１２８と反対方向には、掛け金は、右下方向に走る湾曲部１３２を有し下に向いた延長縁部分１３１を有している（図２３）。台形１２８の遠いサイドの掛け金の右端部分は右上方向に伸ばされ（図２４）、この端部分の端領域はフック１３３を形成するために上に約１８０°曲がっている。対照的に、縁部分１２７、１２８（開口部１２９、１３０が配置されている）の高い領域の遠いサイドの掛け金における左端の長い部分は狭く、下向きの傾斜面１３４を構成するために下向きに曲がっている。
また、図２６〜２８のハウジング又はシャーシは、基本的には、上向きの２つの平行な延長縁部分１３５、１３６を有する細長い平板状部材からなり、この平板状部材は、左端領域で広く、ほぼＵ形状とするために内向きとなってハウジングの外壁をほぼ閉じられた端部分１３７、１３８を有している。
なお、右手部の開放端領域では、壁１３５、１３６の各々は、掛け金（フック）の保護又は蓋をするものとして、好ましくは舌状の延長部分１３９、１４０を有している。しかしながら、これらの端領域では、これらの延長部分の前で、壁１３５、１３６の上部端部分はプレスされてこぶ状になり各々が突起部１４１、１４２を有している。端領域１３７、１３８には、各々上向きの突起部１４３、１４４が同様に設けられている。
また、ハウジングの基部１４５は、内側環状縁部１４７とともに丸い開口部１４６を有している。基部１４５の縁部１４７と壁部分１３７、１３８との間には、２つの平行な切込みの間で内部の方向に盛り上がり、スライドの移動方向に直交する方向に伸びる内面突起部１４８が配置されている。穴１４６に近接した壁１３６の領域において、壁１３６はこぶ状に盛り上がっている内面突起部１４８’を有している。
この内面突起部１４８’の反対側にある他の壁１３５は長方形の開口部１４９を有している。突起部１４１、１４２に近接した基部１４５の領域においては、前記基部１４５は長方形の開口部１５０を有している。開口部１５０と穴１４６との間にある中央領域においては、基部１４５はさらに、好ましくは穴１４６よりも開口部１５０に近接して、長方形の開口部１５１を有している。内面突起部１４８と玉縁１４７とはハウジングの対称面に対して対称に配置されている一方で、開口部１５０、１５１の中心点は各々がこの対称面から距離ａ及びｂだけ離れている。ここで、ａとｂとは、ｂ＞ａの関係を満足している。
また、図２９及び３０に示すカバー部は、基本的には偏心ヘッドのための比較的大きな丸穴１５２を有する平板状部材からなり、突起部１４１、１４２、１４３、１４４と係合する４つの小さな開口部１５３、１５４、１５５、１５６、並びに開口部１５０及び１５１と同様の機能を有する開口部１５７及び１５８を有している。
なお、開口部１５１及び１５８は、それゆえ、同じ大きさを有し、好ましくは各々同じ大きさの開口部１５０及び１５７よりもいくぶん大きいことである。
また、カバー部が、開口部１５３、１５４、１５５、１５６に導入された突起部１４１、１４２、１４３、１４４によって取り付けられたときには、ハウジングは製造段階でリベットによって閉じることができる。閉状態においては、開口部１５０、１５７及び１５１、１５８はハウジングの対称面に対して対称位置に配置されている。
次に、図１７〜３０に示す、本発明の別な固定装置の機能について、以下のように説明する。
すなわち、本発明の別な固定装置は、開状態においては、掛け金の縁部分１３１の端部１５９（図２３）はハウジング又はカバー部の開口部１５０又は１５７を把持している。偏心輪１０５の回転中、偏心ローラー１１６は基部１２２の縁を押し、その結果、スライド１０７が内側に押される。そして、湾曲部１３２（図２３）は開口部１５０又は１５７の縁に対してスライドし、その結果、掛け金は外側に回転する。この動作中、傾斜面１３４（図２３）は、対応する開口部１５１又は１５８を把持し、本固定装置は閉まり固定される。
閉状態においては、偏心ローラー１１６は突起部１４８上に支持されており、その結果、偏心ヘッド１０４はハウジングからいくぶん突出し、それゆえ部材１０１の開口部１０３への固定が維持される。
しかしながら、開状態においては、偏心ローラー１１６は突起部１４８からより離れており、その結果、偏心輪１０５は、バネ１０８’の動作に反して、ハウジング内の開口部外に押され、本固定装置は部材１０１から自由になる。
また、スライドを軸方向に移動させるスライド表面機構は、スイス国公開公報CH−A−576591号によって知られ、円錐形先端が円錐形窪みと偏心的に相互作用するネジであってスライド中に備えられたボルト中で表面を硬く締めるものとして働くものを有する機構とすることもできる。
また、種々の部品は、好ましくは厚さが１〜３ｍｍ、より好ましくは１．５〜２．５ｍｍの鋼板シートから打ち抜きされることによって製造される。種々の部材ピースは、硬化処理及び/又はめっきされる。偏心輪は、好ましくは高張度鋼からなる。
また、挿入芯１０２は、好ましくは、少なくとも部分的には、２つの広い外壁及び２つの狭い外壁を有している。この２つの広い外壁の第１のものには、スライドに噛み合うスライド表面機構を介して、スライドを軸方向に移動させるために、回転手段が設けられている。
また、挿入芯１０２のスライド１０７及び/又はハウジング及び/又は固定部材１１１は、好ましくは角度付けされた縁を有する平板としてデザインされている。
また、スライド１０７は、各々が柄状の延長部１２３又は１２４を有する少なくとも一の角度付けされた細片１１８又は１１９を有することができる。各々は、少なくとも一の固定部材を回転可能に固定するための手段１２５及び１２６を有している。
また、固定部材は、上に向いた２つの縁細片１１８又は１１９を、下に向いた柄状延長部１２３及び１２４とともに、有している。その結果、スライド１０７の末端部ではほぼＨ形状の姿態を示している。この延長部１２３又は１２４の各々は、少なくとも一の固定部材を回転可能に維持するために設けられる軸１１０を取り付けることを目的とした穴１２５又は１２６を有している。
また、固定部材は、角度付けされた細片を、Ｔ形状の末端部又はフック（フック）としてのＧ形状の延長部分とともに有することができる。
また、固定部材は、少なくとも一の上向きの細長い縁部分１２７及び１２８と、湾曲部１３２を有する下向きの縁部分１３１と、
フック１３３の形状にデザインされた第一の末端領域と、
及び、屈曲した第２の末端領域とを伴った細長い平板状掛け金とすることができる。
また、掛け金は、側方で上に向いた２つの平行で細長い縁部材１２７及び１２８を有することができ、その各々はスライド上に掛け金を回転可能に支持するための軸１１０を取り付ける穴１２９、１３０を有している。
また、掛け金１１１の第１の末端領域１３３は上向きにおよそ１８０°曲がっていてもよい。第２の末端領域１３４は下向きに曲がっていてもよい。
また、挿入芯１０２は、断面がＵ形状をしたハウジング及び平板状のカバー部１０２’を備えることができる。
また、ハウジング及び/又はカバー部は、各々が湾曲部１３２を有する掛け金１１１の縁部材１３１を部分的に受けるための開口部１５０又は１５７を有することができる。
また、カバー部及び/又はハウジングは、各々が曲がった第２の末端領域１３４を部分的に受けるために設けられた開口部１５１又は１５８を有することができる。
また、スライドを軸方向に移動させるためのスライド表面機構は、偏心ローラー又は円錐先端が円錐窪みと偏心的に相互作用するネジを有する偏心輪とすることができ、それは、スライド中に備え付けられたボルト中で表面を締める機能を果たしている。
【図１】
0004020432.tif 000002
【図２】
0004020432.tif 000003
【図３】
0004020432.tif 000004
【図４】
0004020432.tif 000005
【図５】
0004020432.tif 000006
【図６】
0004020432.tif 000007
【図７】
0004020432.tif 000008
【図８】
0004020432.tif 000009
【図９】
0004020432.tif 000010
【図１０】
0004020432.tif 000011
【図１１】
0004020432.tif 000012
【図１２】
0004020432.tif 000013
【図１３】
0004020432.tif 000014
【図１４】
0004020432.tif 000015
【図１５】
0004020432.tif 000016
【図１６】
0004020432.tif 000017
【図１７】
0004020432.tif 000018
【図１８】
0004020432.tif 000019
【図１９】
0004020432.tif 000020
【図２０】
0004020432.tif 000021
【図２１】
0004020432.tif 000022
【図２２】
0004020432.tif 000023
【図２３】
0004020432.tif 000024
【図２４】
0004020432.tif 000025
【図２５】
0004020432.tif 000026
【図２６】
0004020432.tif 000027
【図２７】
0004020432.tif 000028
【図２８】
0004020432.tif 000029
【図２９】
0004020432.tif 000030
【図３０】
0004020432.tif 000031